Podtech/llm-jp-corpus-v4-ja_patent huggingface dataset:
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
画像データを記憶する記憶部、少なくとも前記記憶部の画像データを表示することが可能な表示部を備える画像表示装置であって、
前記記憶部の画像データから顔領域および顔領域の傾きを含む顔情報を検出する顔情報検出部と、
顔回転の開始指示を入力可能な指示部と、
前記指示部に顔回転の開始指示が入力されたことに応じ、前記顔情報検出部の検出した顔領域の傾きに基づき、前記顔領域を実質的に正立させる方向に前記画像データを回転させて前記表示部に表示するよう制御する表示制御部と、
を備え、
前記表示制御部は、前記顔情報検出部が複数の顔領域および複数の顔情報を検出した場合、前記複数の顔領域のうち過半数の顔領域を実質的に正立させる方向に前記画像データを回転させて前記表示部に表示するよう制御する画像表示装置。
【請求項２】
前記表示制御部は、前記顔領域の傾きが所定の角度を超える場合に限り、前記顔領域を実質的に正立させる方向に前記画像データを回転させて前記表示部に表示するよう制御する請求項１に記載の画像表示装置。
【請求項３】
前記顔情報検出部が複数の顔領域および複数の顔情報を検出した場合、前記複数の顔のうち所望の顔の選択が可能な選択部をさらに備え、
前記表示制御部は、前記選択部から選択された顔領域を実質的に正立させる方向に前記画像データを回転させて前記表示部に表示するよう制御する請求項１または２に記載の画像表示装置。
【請求項４】
請求項１〜３のいずれかに記載の画像表示装置を備えた撮影装置。
【請求項５】
画像データから顔領域および顔領域の傾きを含む顔情報を検出するステップと、
顔回転の開始指示を入力するステップと、
顔回転の開始指示が入力されたことに応じ、検出した顔領域の傾きに基づき、前記顔領域を実質的に正立させる方向に前記画像データを回転させて表示するステップと、
複数の顔領域および複数の顔情報を検出した場合、前記複数の顔領域のうち過半数の顔領域を実質的に正立させる方向に前記画像データを回転させて表示するステップと、
を含む画像表示方法。
【請求項６】
画像データから顔領域および顔領域の傾きを含む顔情報を検出するステップと、
顔回転の開始指示を入力するステップと、
顔回転の開始指示が入力されたことに応じ、検出した顔領域の傾きに基づき、前記顔領域を実質的に正立させる方向に前記画像データを回転させて表示するステップと、
複数の顔領域および複数の顔情報を検出した場合、前記複数の顔領域のうち過半数の顔領域を実質的に正立させる方向に前記画像データを回転させて表示するステップと、
をコンピュータに実行させるための画像表示プログラム。
【手続補正書】
【提出日】平成22年6月2日(2010.6.2)
【手続補正１】
【補正対象書類名】明細書
【補正対象項目名】発明の名称
【補正方法】変更
【補正の内容】
【発明の名称】個人情報管理システム
【手続補正２】
【補正対象書類名】特許請求の範囲
【補正対象項目名】全文
【補正方法】変更
【補正の内容】
【特許請求の範囲】
【請求項１】
個人情報記録媒体と、端末と、サーバーとを有し、
前記個人情報記録媒体は、
前記端末と情報の送受信を行う第１の通信制御手段と、
受信した情報を暗号化する暗号化手段と、
前記暗号化された情報を記憶する不揮発性メモリとを有し、
前記端末は、
前記個人情報記録媒体及び前記サーバーと情報の送受信を行う第２の通信制御手段と、
受信した情報を表示する表示部と、
入力手段とを有し、
前記サーバーは、
前記端末と情報の送受信を行う第３の通信制御手段と、
暗号化された情報を復号化する復号化手段と、
暗証データ記録部と、
前記復号化された情報と暗証データ記録部の情報とを比較参照する手段とを有することを特徴とする個人情報管理システム。
【請求項２】
個人情報記録媒体と、端末と、サーバーとを有し、
前記個人情報記録媒体は、
前記端末と情報の送受信を行う第１の通信制御手段と、
受信した情報を暗号化する暗号化手段と、
前記暗号化された情報を記憶する不揮発性メモリとを有し、
前記端末は、
前記個人情報記録媒体及び前記サーバーと情報の送受信を行う第２の通信制御手段と、
受信した情報を表示する表示部と、
入力手段とを有し、
前記サーバーは、
前記端末と情報の送受信を行う第３の通信制御手段と、
暗号化された情報を復号化する復号化手段と、
暗証データ記録部と、
前記復号化される前に前記暗号化された情報と暗証データ記録部の情報とを比較参照する手段とを有することを特徴とする個人情報管理システム。
【請求項３】
請求項１又は請求項２において、
前記入力手段にタッチセンサーを用いたことを特徴とする個人情報管理システム。
【請求項４】
請求項１乃至請求項３のいずれか一項において、
前記個人情報記録媒体に設けられた第１の通信制御手段と、前記端末に設けられた第２の通信制御手段はアンテナを有しており、
前記個人情報記録媒体に設けられた第１の通信制御手段と前記端末に設けられた第２の通信制御手段との情報の送受信を無線通信で行うことを特徴とする個人情報管理システム。
【請求項５】
請求項１乃至請求項４のいずれか一項において、
前記端末に設けられた第２の通信制御手段と前記サーバーに設けられた第３の通信制御手段との情報の送受信を有線通信で行うことを特徴とする個人情報管理システム。
【請求項６】
請求項１乃至請求項５のいずれか一項において、
前記個人情報記録媒体は、暗号化された情報を前記端末に送信し、且つ前記端末から平文を受信することを特徴とする個人情報管理システム。
【請求項７】
請求項１乃至請求項６のいずれか一項において、
前記個人情報管理システムに暗号化されて記憶された情報は、前記サーバーには保管されないことを特徴とする個人情報管理システム。
【請求項８】
請求項１乃至請求項７のいずれか一項において、
前記個人情報記録媒体は、不揮発性メモリカードを備え、
前記不揮発性メモリカードは、
リーダ／ライタと情報の送受信を行う通信制御手段と、
受信した情報を暗号化する暗号化手段と、
前記暗号化された情報を処理する情報処理手段と、
前記暗号化された情報を記憶する前記不揮発性メモリとを有し、
前記通信制御手段はアンテナを有し、且つ前記リーダ／ライタとの情報の送受信を無線通信で行うことを特徴とする個人情報管理システム。
【請求項９】
請求項８において、
前記通信制御手段は暗号化された情報を前記リーダ／ライタに送信することを特徴とする個人情報管理システム。
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
元画像が記録された記録手段からトリミングする元画像を読み出す読出手段と、
前記読み出した元画像に基づいて画像を表示する表示手段と、
前記表示手段に表示された画像に対して手動操作によって任意のトリミング範囲を指示する手動トリミング指示手段と、
前記読み出した元画像が人物の顔画像を含んでいる場合に、手動操作時に顔画像を含んだ所定のトリミング範囲を自動的に指示する自動トリミング指示手段と、
前記手動トリミング指示手段、又は自動トリミング指示手段によって指示されたトリミング範囲内の画像を、前記表示手段に表示された画像の元画像から切り出すトリミング手段と、
を備え、
前記自動トリミング指示手段は、前記所定のトリミング範囲としてバストショットサイズを指示すると前記所定のトリミング範囲のサイズが前記元画像のサイズを超えるが、前記所定のトリミング範囲の縦サイズが前記顔画像の縦サイズの２倍以上であれば、前記所定のトリミング範囲の中心を前記顔画像の中心にして前記所定のトリミング範囲を自動的に指示することを特徴とする画像トリミング装置。
【請求項２】
前記自動トリミング指示手段は、前記元画像が横撮りの場合、前記所定のトリミング範囲としてバストショットサイズを指示すると前記所定のトリミング範囲のサイズが前記元画像のサイズを超えるが、前記所定のトリミング範囲の縦サイズが前記顔画像の縦サイズの２倍以上かつ４倍以下であれば、前記所定のトリミング範囲の中心を前記顔画像の中心にして前記所定のトリミング範囲を自動的に指示することを特徴とする請求項１に記載の画像トリミング装置。
【請求項３】
前記顔画像の縦サイズをα、前記バストショットサイズの縦サイズをβ、前記バストショットサイズの横サイズをγとすると、β＝４α、γ＝４β／３であることを特徴とする請求項２に記載の画像トリミング装置。
【請求項４】
前記自動トリミング指示手段は、前記元画像が縦撮りの場合、前記所定のトリミング範囲としてバストショットサイズを指示すると前記所定のトリミング範囲のサイズが前記元画像のサイズを超えるが、前記所定のトリミング範囲の縦サイズが前記顔画像の縦サイズの２倍以上かつ３倍以下であれば、前記所定のトリミング範囲の中心を前記顔画像の中心にして前記所定のトリミング範囲を自動的に指示することを特徴とする請求項１〜３のいずれかに記載の画像トリミング装置。
【請求項５】
前記顔画像の縦サイズをα、前記バストショットサイズの縦サイズをβ、前記バストショットサイズの横サイズをγとすると、β＝３α、γ＝４β／３であることを特徴とする請求項４に記載の画像トリミング装置。
【請求項６】
前記自動トリミング指示手段は、前記所定のトリミング範囲としてバストショットサイズを指示すると前記所定のトリミング範囲のサイズが所定のサイズの解像度に満たない場合、前記所定のトリミング範囲を前記顔画像の垂直方向に拡大することを特徴とする請求項１〜５のいずれかに記載の画像トリミング装置。
【請求項７】
前記自動トリミング指示手段は、前記所定のトリミング範囲としてバストショットサイズを指示し前記所定のトリミング範囲の中心を前記顔画像の中心にすると前記所定のトリミング範囲が前記元画像からはみ出す場合、前記所定のトリミング範囲の中心を前記人物の顔画像の中心にせず、前記所定のトリミング範囲が前記元画像からはみ出さないようにすることを特徴とする請求項１〜６のいずれかに記載の画像トリミング装置。
【請求項８】
前記表示手段は前記トリミング手段によって切り出した画像を表示することを特徴とする請求項１〜７のいずれかに記載の画像トリミング装置。
【請求項９】
前記記録手段は、前記トリミング手段によって切り出した画像を記録することを特徴とする請求項１〜８のいずれかに記載の画像トリミング装置。
【請求項１０】
前記手動トリミング指示手段は、前記表示手段に表示された画像を拡大縮小させるズーム倍率を指示するズーム指示手段と、前記表示手段に表示された拡大された画像を元画像の範囲内で移動させる移動指示手段とを含むことを特徴とする請求項１〜９のいずれかに記載の画像トリミング装置。
【請求項１１】
前記読み出した元画像が複数の人物の顔画像を含んでいる場合に、前記自動トリミング指示手段は、全ての顔画像を含んだ所定のトリミング範囲を指示することを特徴とする請求項１〜１０のいずれかに記載の画像トリミング装置。
【請求項１２】
前記読み出した元画像が複数の人物の顔画像を含んでいる場合に、前記自動トリミング指示手段は、手動操作される毎に人物の顔画像を選択し、その選択した人物の顔画像を含んだ所定のトリミング範囲を自動的に指示することを特徴とする請求項１〜１１のいずれかに記載の画像トリミング装置。
【誤訳訂正書】
【提出日】平成21年12月18日(2009.12.18)
【誤訳訂正１】
【訂正対象書類名】明細書
【訂正対象項目名】特許請求の範囲
【訂正方法】変更
【訂正の内容】
【特許請求の範囲】    【請求項１】 大腿骨部材と、脛骨部材と、支承とからなる膝関節用補綴であって、・前記大腿骨部材は、大腿骨としっかりと係合する上位骨係合面と、下位関節支承面と、前記大腿骨部材の後部面に前方向に突出する後部切欠とを備え；・前記脛骨部材は、脛骨と係合する下位骨係合面と、平面状の上位支承面とを備え、；・前記支承は、前記大腿骨部材および脛骨部材の間に配置され、前記脛骨部材の前記上位支承面と回転自在に支承係合する下位面を備え；該支承は−前記大腿骨部材の前記下位支承面と関節支承係合する上位支承面をさらに備え、かつ−前記支承の上位面から近接して突出し、関節に加えられた外反・内反モーメントに抵抗するために前記大腿骨部材の前記後部切欠と滑動自在に係合するポストを備え、前記脛骨部材が脛骨部材の上位支承面に伸びる円錐形に形成されたくぼみを備え、前記支承の下位面が前記脛骨部材の前記くぼみに回転自在に配置された円錐状に形成された突起を備え、且つ、前記大腿骨部材の後部切欠が、互いに対向する関係にある互いに平行し、かつ前記大腿骨部材の後部切欠を画定する側壁を備え、前記支承のポストが前記壁体に対向する関係にある部分を備え、よって、該後部切欠の後端が開放されていることを特徴とする膝関節用補綴。    【請求項２】  前記支承のポストは前記後部切欠に滑動自在に収容されるような寸法を有することを特徴とする請求項１記載の膝関節用補綴。    【請求項３】  前記大腿骨部材の下位関節支承面が凸状に構成され、前記支承の上位支承面により大腿骨部材の下位関節支承面と一致する凹状形状が形成されることを特徴とする請求項１記載の膝関節用補綴。    【請求項４】  前記大腿骨部材の下位関節支承面が、一対の凸状顆状突起からなり、前記支承の上位支承面が大腿骨部材の前記顆状突起と一致する一対の凹状くぼみからなることを特徴とする請求項１記載の膝関節用補綴。    【請求項５】  前記ポストが支承の上位面上の後部位置から突出することを特徴とする請求項１記載の膝関節用補綴。    【請求項６】  前記大腿骨部材の下位関節支承面が、一対の凸状顆状突起からなり、前記後部切欠が前記顆状突起の間にあり、前記大腿骨部材の上位係合面が後部切欠の相対する側にある壁体からなることを特徴とする請求項１記載の膝関節用補綴。    【請求項７】  前記支承の上位支承面が大腿骨部材の顆状突起と一致する一対の凹状面からなり、前記ポストを支承の凹状面の間に配置することを特徴とする請求項６記載の膝関節用補綴。    【請求項８】  前記大腿骨部材ならびに脛骨部材を金属材料から形成し、前記支承を非金属材料から形成することを特徴とする請求項１記載の膝関節用補綴。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
接続部の上方又は下方の片側にスタビライザ部を突設した複数の受け用接続端子を収容する複数段の端子収容孔をハウジング本体に形成し、該ハウジング本体の後部に別体のリアホルダを付設可能とし、前記端子収容孔は上下対称に前記端子収容孔のスタビライザ収納部が向かい合うように配置して、前記上下の端子収容孔間の隔壁に段差を設け、前記リアホルダの端子挿通孔は前記ハウジング本体に設けた前記端子収容孔の断面と同形状に形成して同じに配列し、前記リアホルダを前記ハウジング本体に連結した状態において、前記リアホルダの端子挿通孔と前記ハウジング本体の端子収容孔は個々に同形状に連通するようにしたことを特徴とする電気コネクタハウジング。
【請求項２】
前記ハウジング本体とリアホルダは連結手段により取り外し自在としたことを特徴とする請求項１に記載の電気コネクタハウジング。
【請求項３】
前記端子収容孔及び端子挿通孔は偶数段に設けたことを特徴とする請求項１又は２に記載の電気コネクタハウジング。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
先端にピン状の挿込端を有する雄型接続端子を内部に収納し、該接続端子を係止アームにより係止するコネクタハウジングにおいて、前記接続端子は中間に前記挿込端よりも幅広の中間部と、後端に電線を圧着する圧着部とを備え、前記係止アームは、前記接続端子の中間部の後部を係止する爪部を有し、該爪部の中央部に前記挿込端を通過させるための溝部を長手方向に形成したことを特徴とする電気コネクタハウジング。
【請求項２】
前記挿込端は断面略四角形とした請求項１に記載の電気コネクタハウジング。
【請求項３】
前記係止アームは前記ハウジングの後部に固定したリアホルダに設けた請求項１又は２に記載の電気コネクタハウジング。
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
ユーザの入力操作を取得して、アプリケーションの状態を変更するために複数の動作変更コマンドを該アプリケーションに入力可能な入出力装置であって、
ユーザに対して振動を出力する振動手段と、
ユーザの入力操作を取得する操作手段と、
アプリケーションの状態を変更するための動作変更コマンドに対応付けられた振動状態で上記振動手段を振動させる振動制御手段と、
上記操作手段がユーザの入力操作を取得したときの上記振動手段の振動状態に対応付けられた上記動作変更コマンドに従って、上記アプリケーションを制御するアプリケーション状態制御手段と、を備えたことを特徴とする入出力装置。
【請求項２】
上記動作変更コマンドは、ユーザによって指定されたアプリケーションの状態を示す状態指定情報であることを特徴とする請求項１に記載の入出力装置。
【請求項３】
上記振動手段が第１の動作変更コマンドに対応付けられた振動状態での振動を開始してからの時間を計時する計時手段をさらに備え、
上記振動制御手段は、上記計時手段が計時した時間が予め設定された時間を超えるまでに上記操作手段がユーザの入力操作を取得しなかった場合、上記振動手段の振動状態を上記第１の動作変更コマンドとは異なる第２の動作変更コマンドに対応付けられた振動状態に変更することを特徴とする請求項１に記載の入出力装置。
【請求項４】
上記振動手段は、複数の領域に区画されていると共に、該区画毎に独立して振動を出力することを特徴とする請求項１〜３の何れか１項に記載の入出力装置。
【請求項５】
上記振動手段のユーザが振動を知覚可能な振動面にはカバー部が設けられており、
上記カバー部は、上記振動手段の区画に対応して上記振動面に対して略垂直に配置された突起部と、隣接する上記突起部を接続する伸縮性を有する接続部と、を備えたことを特徴とする請求項１〜４の何れか１項に記載の入出力装置。
【請求項６】
請求項１〜５の何れか１項に記載の入出力装置を備えた電子機器であって、
上記アプリケーション状態制御手段によって制御されるアプリケーションの状態で、上記アプリケーションを実行するアプリケーション実行手段を備えたことを特徴とする電子機器。
【請求項７】
ユーザ操作を取得したとき、上記入出力装置を起動させる起動手段をさらに備えたことを特徴とする請求項６に記載の電子機器。
【請求項８】
ユーザに対して振動を出力する振動手段と、
ユーザの入力操作を取得する操作手段と、を備えた入出力装置の制御方法であって、
アプリケーションの状態を変更するための動作変更コマンドに対応付けられた振動状態で上記振動手段を振動させる振動制御ステップと、
上記操作手段がユーザの入力操作を取得したときの上記振動手段の振動状態に対応付けられた上記動作変更コマンドに従って、上記アプリケーションを制御するアプリケーション状態制御ステップと、を含むことを特徴とする入出力装置の制御方法。
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
第１のローラに張架され、トナー像を保持するベルト状の像担持体と、前記第１のローラに対向して設けられ、前記像担持体と共に記録媒体を狭持して該記録媒体を搬送する第２のローラと、前記像担持体と前記第２のローラとで前記記録媒体を狭持した位置で前記像担持体から前記記録媒体にトナー像を転写する画像形成装置であって、
前記第１のローラと前記第２のローラとにそれぞれ所定のバイアス電圧値を印加する手段を設け、前記両バイアス電圧値は、互いに異なる極性のバイアス電圧値であることを特徴とする画像形成装置。
【請求項２】
前記両バイアス電圧値をそれぞれ異ならせることを特徴とする請求項１記載の画像形成装置。
【請求項３】
前記両バイアス電圧値のいずれか一方を、変化させることを特徴とする請求項１又は２記載の画像形成装置。
【請求項４】
前記両バイアス電圧値をそれぞれタイミングをずらして印加するようにしたことを特徴とする請求項１乃至３のいずれか一項に記載の画像形成装置。
【請求項５】
前記両バイアス電圧値は同じ電源手段から供給するようにしたことを特徴とする請求項１乃至４のいずれか一項に記載の画像形成装置。
【請求項６】
第１のローラに張架され、トナー像を保持するベルト状の像担持体と、前記第１のローラに対向して設けられ、前記像担持体と共に記録媒体を狭持して該記録媒体を搬送する第２のローラと、前記像担持体と前記第２のローラとで前記記録媒体を狭持した位置で前記像担持体から前記記録媒体にトナー像を転写する画像形成装置のバイアス電圧印加制御方法であって、
前記第１のローラと前記第２のローラとにそれぞれ所定のバイアス電圧値を印加する工程を有し、前記両バイアス電圧値は、互いに異なる極性のバイアス電圧値であることを特徴とする画像形成装置のバイアス電圧印加制御方法。
【請求項７】
前記両バイアス電圧値をそれぞれ異ならせることを特徴とする請求項６記載の画像形成装置のバイアス電圧印加制御方法。
【請求項８】
前記両バイアス電圧値のいずれか一方を、変化させることを特徴とする請求項６又は７記載の画像形成装置のバイアス電圧印加制御方法。
【請求項９】
前記両バイアス電圧値をそれぞれタイミングをずらして印加することを特徴とする請求項６乃至８のいずれか一項に記載の画像形成装置のバイアス電圧印加制御方法。
【請求項１０】
前記両バイアス電圧値は同じ電源手段から供給することを特徴とする請求項６乃至９のいずれか一項に記載の画像形成装置のバイアス電圧印加制御方法。
【手続補正２】
【補正対象書類名】明細書
【補正対象項目名】０００４
【補正方法】変更
【補正の内容】
【０００４】
この発明は上記の目的を達成するため、次の画像形成装置と画像形成装置のバイアス電圧印加制御方法を提供する。
（１）第１のローラに張架され、トナー像を保持するベルト状の像担持体と、上記第１のローラに対向して設けられ、上記像担持体と共に記録媒体を狭持してその記録媒体を搬送する第２のローラと、上記像担持体と上記第２のローラとで上記記録媒体を狭持した位置で上記像担持体から上記記録媒体にトナー像を転写する画像形成装置であって、上記第１のローラと上記第２のローラとにそれぞれ所定のバイアス電圧値を印加する手段を設け、上記両バイアス電圧値を、互いに異なる極性のバイアス電圧値にした画像形成装置。
【手続補正３】
【補正対象書類名】明細書
【補正対象項目名】０００５
【補正方法】変更
【補正の内容】
【０００５】
（２）上記のような画像形成装置において、上記両バイアス電圧値をそれぞれ異ならせた画像形成装置。
（３）上記のような画像形成装置において、上記両バイアス電圧値のいずれか一方を、変化させる画像形成装置。
（４）上記のような画像形成装置において、上記両バイアス電圧値をそれぞれタイミングをずらして印加するようにした画像形成装置。
（５）上記のような画像形成装置において、上記両バイアス電圧値を同じ電源手段から供給するようにした画像形成装置。
【手続補正４】
【補正対象書類名】明細書
【補正対象項目名】０００６
【補正方法】変更
【補正の内容】
【０００６】
（６）第１のローラに張架され、トナー像を保持するベルト状の像担持体と、上記第１のローラに対向して設けられ、上記像担持体と共に記録媒体を狭持してその記録媒体を搬送する第２のローラと、上記像担持体と上記第２のローラとで上記記録媒体を狭持した位置で上記像担持体から上記記録媒体にトナー像を転写する画像形成装置のバイアス電圧印加制御方法であって、上記第１のローラと上記第２のローラとにそれぞれ所定のバイアス電圧値を印加する工程を有し、上記両バイアス電圧値を、互いに異なる極性のバイアス電圧値にした画像形成装置のバイアス電圧印加制御方法。
【手続補正５】
【補正対象書類名】明細書
【補正対象項目名】０００７
【補正方法】変更
【補正の内容】
【０００７】
（７）上記のような画像形成装置のバイアス電圧印加制御方法において、上記両バイアス電圧値をそれぞれ異ならせた画像形成装置のバイアス電圧印加制御方法。
（８）上記のような画像形成装置のバイアス電圧印加制御方法において、上記両バイアス電圧値のいずれか一方を、変化させる画像形成装置のバイアス電圧印加制御方法。
（９）上記のような画像形成装置のバイアス電圧印加制御方法において、上記両バイアス電圧値をそれぞれタイミングをずらして印加した画像形成装置のバイアス電圧印加制御方法。
（１０）上記のような画像形成装置のバイアス電圧印加制御方法において、上記両バイアス電圧値を同じ電源手段から供給した画像形成装置のバイアス電圧印加制御方法。
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
ページ記述言語により記述されたベクトルデータに基づいて、予め定められた色数からなるラスタデータを生成する画像形成装置であって、
前記ベクトルデータにより表現されうる全ての色情報を用いてラスタデータを生成するデータ生成手段と、
前記ベクトルデータに記述された要素内において、明示的に記述された色情報を抽出する抽出手段と、
前記抽出手段により抽出された色情報と、前記データ生成手段において前記ラスタデータを生成するのに用いた色情報の一部とを用いて、前記予め定められた色数のパレットを生成するパレット生成手段と、
前記データ生成手段において前記ラスタデータを生成するのに用いた色情報のうち、前記パレットの生成に用いられなかった色情報を、該パレットを構成するいずれかの色情報に割り当てるための色変換テーブルを生成するテーブル生成手段と、
前記データ生成手段により生成された前記ラスタデータを、前記パレット及び前記色変換テーブルを用いて減色処理する減色処理手段と
を備えることを特徴とする画像形成装置。
【請求項２】
前記パレット生成手段は、
前記抽出手段により抽出された色情報を優先して、前記パレットを生成することを特徴とする請求項１に記載の画像形成装置。
【請求項３】
前記パレット生成手段は、
前記データ生成手段において前記ラスタデータを生成するのに用いた色情報のうち、該ラスタデータにおいてピクセル数の多い色情報を優先して、前記パレットを生成することを特徴とする請求項１に記載の画像形成装置。
【請求項４】
前記テーブル生成手段は、
前記データ生成手段において前記ラスタデータを生成するのに用いた色情報のうち、前記パレットの生成に用いられなかった色情報を、該パレットに含まれる色情報のうち最も類似する色情報に割り当てるための色変換テーブルを生成することを特徴とする請求項１に記載の画像形成装置。
【請求項５】
前記ベクトルデータは、ＸＭＬ（Extensible Markup Language）ファイルであることを特徴とする請求項１に記載の画像形成装置。
【請求項６】
前記ＸＭＬファイルがＳＶＧ（Scalable Vector Graphics）形式で記述されていることを特徴とする請求項５に記載の画像形成装置。
【請求項７】
ページ記述言語により記述されたベクトルデータに基づいて、予め定められた色数からなるラスタデータを生成する画像形成装置における画像形成方法であって、
データ生成手段が、前記ベクトルデータにより表現されうる全ての色情報を用いてラスタデータを生成するデータ生成工程と、
抽出手段が、前記ベクトルデータに記述された要素内において、明示的に記述された色情報を抽出する抽出工程と、
パレット生成手段が、前記抽出工程において抽出された色情報と、前記データ生成工程において前記ラスタデータを生成するのに用いた色情報の一部とを用いて、前記予め定められた色数のパレットを生成するパレット生成工程と、
テーブル生成手段が、前記データ生成工程において前記ラスタデータを生成するのに用いた色情報のうち、前記パレットの生成に用いられなかった色情報を、該パレットを構成するいずれかの色情報に割り当てるための色変換テーブルを生成するテーブル生成工程と、
減色処理手段が、前記データ生成工程において生成された前記ラスタデータを、前記パレット及び前記色変換テーブルを用いて減色処理する減色処理工程と
を備えることを特徴とする画像形成方法。
【請求項８】
請求項７に記載の画像形成方法の各工程をコンピュータに実行させるためのプログラム。
【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
アクセサリシューを備えた撮像装置であって、
前記アクセサリシューは、
該アクセサリシューに対して装着方向にスライドするアクセサリ機器に係合して該アクセサリ機器を保持する第１の係合部、第２の係合部及び第３の係合部を有する係合部材と、
前記アクセサリ機器に設けられたアクセサリ側コネクタと電気的に接続可能な撮像装置側コネクタとを有し、
前記第１及び第２の係合部は、前記アクセサリ機器がスライドするスペースを挟んで設けられ、
前記第３の係合部は、前記第１及び第２の係合部よりも前記装着方向の前側に設けられ、前記第３の係合部は、前記装着方向とは反対方向に向かって突出して、前記撮像装置側コネクタを覆い、
前記アクセサリ機器と係合することができる係合スペースは、前記第３の係合部と前記撮像装置側コネクタとの間に形成されることを特徴とする撮像装置。
【請求項２】
前記係合部材は、前記前側に開口を有し、
前記撮像装置側コネクタは、前記係合スペースの外側から前記開口を通って該係合スペースの内側に露出することを特徴とする請求項１に記載の撮像装置。
【請求項３】
前記アクセサリシューの幅方向において、該第１及び第２の係合部間の間隔が前記撮像装置側コネクタの幅よりも大きいことを特徴とする請求項１又は２に記載の撮像装置。
【請求項４】
前記撮像装置側コネクタを保持する撮像装置側コネクタ保持部材を更に有し、
前記撮像装置側コネクタ保持部材は、前記アクセサリ機器が前記係合スペースに係合するように案内する案内壁面を有することを特徴とする請求項１乃至３のいずれか一項に記載の撮像装置。
【請求項５】
前記係合部材は、前記前側に開口を有し、
前記撮像装置側コネクタ及び前記案内壁面は、前記係合スペースの外側から前記開口を通って該係合スペースの内側に露出することを特徴とする請求項４に記載の撮像装置。
【手続補正２】
【補正対象書類名】明細書
【補正対象項目名】００１０
【補正方法】変更
【補正の内容】
【００１０】
本発明の一側面としての撮像装置は、アクセサリシューを備えた撮像装置であって、前記アクセサリシューは、該アクセサリシューに対して装着方向にスライドするアクセサリ機器に係合して該アクセサリ機器を保持する第１の係合部、第２の係合部及び第３の係合部を有する係合部材と、前記アクセサリ機器に設けられたアクセサリ側コネクタと電気的に接続可能な撮像装置側コネクタとを有し、前記第１及び第２の係合部は、前記アクセサリ機器がスライドするスペースを挟んで設けられ、前記第３の係合部は、前記第１及び第２の係合部よりも前記装着方向の前側に設けられ、前記第３の係合部は、前記装着方向とは反対方向に向かって突出して、前記撮像装置側コネクタを覆い、前記アクセサリ機器と係合することができる係合スペースは、前記第３の係合部と前記撮像装置側コネクタとの間に形成されることを特徴とする。
【手続補正書】
【提出日】平成22年3月1日(2010.3.1)
【手続補正１】
【補正対象書類名】特許請求の範囲
【補正対象項目名】請求項２
【補正方法】変更
【補正の内容】
【請求項２】
レーザビームをポリゴンミラーによりＸ方向に走査させると共に被描画体をＸ方向と直角なＹ方向に移動させて前記被描画体上に所望のパターンを描画するレーザ直接描画装置において、
レーザビームを出力する光源とｎ個の反射面を備える前記ポリゴンミラーとセンサとを２組設けると共に前記被描画体の第１の面側と第２の面側の被描画領域が前記レーザビームに照射されるようにして前記被描画体を保持する保持手段とを設け、
第１の前記ポリゴンミラーにより第１のレーザビームを前記被描画体の第１の面側で走査させると共に第２の前記ポリゴンミラーにより第２のレーザビームを前記被描画体の第２の面側で走査させるように構成しておき、
第１の前記ポリゴンミラーの各反射面で反射された前記第１のレーザビームが予め定める位置に配置された第１のセンサに入射するまでのｎ個の時間のうちの最も短い時間がｔ１ｍｉｎであり、第２の前記ポリゴンミラーの各反射面で反射された前記第２のレーザビームが前記第１のセンサのｘ座標と同一のｘ座標に配置された第２のセンサに入射するまでのｎ個の時間のうちの最も短い時間がｔ２ｍｉｎ（ただし、ｔ２ｍｉｎ≧ｔ１ｍｉｎ）であるとき、
第１の前記ポリゴンミラーによる描画開始時刻を、前記第１のセンサが前記第１のレーザビームを検出した時刻を起点として（ｔ２ｍｉｎ−ｔ１ｍｉｎ）に予め定める時間Δｔ加えた時刻に設定し、
第２の前記ポリゴンミラーによる描画開始時刻を、前記第２のセンサが前記第２のレーザビームを検出した時刻を起点として予め定める時間Δｔ加えた時刻に設定し、
前記被描画体の表裏両面を同時に描画することを特徴とするレーザ直接描画装置。
【手続補正２】
【補正対象書類名】明細書
【補正対象項目名】００１１
【補正方法】変更
【補正の内容】
【００１１】
また、第２の手段は、レーザビームをポリゴンミラーによりＸ方向に走査させると共に被描画体をＸ方向と直角なＹ方向に移動させて前記被描画体上に所望のパターンを描画するレーザ直接描画装置において、レーザビームを出力する光源とｎ個の反射面を備える前記ポリゴンミラーとセンサとを２組設けると共に前記被描画体の表面側と裏面側の被描画領域が前記レーザビームに照射されるようにして前記被描画体を保持する保持手段とを設け、第１の前記ポリゴンミラーにより第１のレーザビームを前記被描画体の表面側または裏面側で走査させると共に第２の前記ポリゴンミラーにより第２のレーザビームを前記被描画体の裏面側または表面側で走査させるように構成しておき、第１の前記ポリゴンミラーの各反射面で反射された前記第１のレーザビームが予め定める位置に配置された第１のセンサに入射するまでのｎ個の時間のうちの最も短い時間がｔ１ｍｉｎであり、第２の前記ポリゴンミラーの各反射面で反射された前記第２のレーザビームが前記第１のセンサのｘ座標と同一のｘ座標に配置された第２のセンサに入射するまでのｎ個の時間のうちの最も短い時間がｔ２ｍｉｎ（ただし、ｔ２ｍｉｎ≧ｔ１ｍｉｎ）であるとき、第１の前記ポリゴンミラーによる描画開始時刻を、前記第１のセンサが前記第１のレーザビームを検出した時刻を起点として、（ｔ２ｍｉｎ−ｔ１ｍｉｎ）に予め定める時間Δｔ加えた時刻とし、第２の前記ポリゴンミラーによる描画開始時刻を、前記第２のセンサが前記第２のレーザビームを検出した時刻を起点として、予め定める時間Δｔ加えた時刻として、前記被描画体の表裏両面を同時に描画することを特徴とする。
【手続補正書】
【提出日】平成22年6月2日(2010.6.2)
【手続補正１】
【補正対象書類名】明細書
【補正対象項目名】０００３
【補正方法】変更
【補正の内容】
【０００３】
また、このような撮像システムの１例として、被写界深度が深くなるように設計した撮像レンズを有する撮像システムを回路基板上に直接取り付けてなる車載用カメラや携帯電話用カメラ等が実用化されている（特許文献１参照）。さらに、撮像素子の受光画素数を増大させるとともに撮像レンズの解像力を高めた撮像システムを搭載してなる高性能の車載用カメラや携帯電話用カメラも知られている。このような解像度の高い画像の得られる高性能の車載用カメラや携帯電話用カメラにおいては、撮像レンズの解像力が回折限界に近い性能を持つものも知られている。
【特許文献１】特開２００７−１４７９５１号公報
【手続補正書】
【提出日】平成22年11月8日(2010.11.8)
【手続補正１】
【補正対象書類名】明細書
【補正対象項目名】００３９
【補正方法】変更
【補正の内容】
【００３９】
図中、１は光源手段であり、例えば半導体レーザ(レーザ光源）より成っている。半導体レーザ１は、２つの発光部（レーザ発光部）1-1、１-2を有している（モノリシックマルチビームレーザ）。
【手続補正２】
【補正対象書類名】明細書
【補正対象項目名】０１１２
【補正方法】変更
【補正の内容】
【０１１２】
つまり図１１Ｂにおいて、1Y,1Mは各々光源手段であり、例えば半導体レーザ(レーザ光源）より成っている。半導体レーザ1Y,1Mは、各々２つの発光部（レーザ発光部）1Y-1,1Y-2、1M-1,1M-2を有している（モノリシックマルチビームレーザ）。
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
第１基板と、
前記第１基板に対向するように配置された第２基板と、
前記第１基板及び前記第２基板間に挟持された液晶層と、を備え、
前記第１基板は、
前記第２基板側から入射する光を前記第２基板側に反射する複数の画素電極と、
前記複数の画素電極の下層側に形成され、且つ前記複数の画素電極に対応するように設けられた複数のトランジスタ素子と、を備え、
前記複数のトランジスタ素子の各々は、活性層を有し、
前記活性層のチャネル長の方向は、前記第１基板上において、前記複数の画素電極の配列方向と斜めに交差すること
を特徴とする液晶装置。
【請求項２】
前記活性層は、チャネル領域と、前記チャネル領域の外側に夫々形成された一対のＬＤＤ領域と、前記一対のＬＤＤ領域の外側に夫々設けられたソース領域及びドレイン領域とを有しており、
前記チャネル領域、前記一対のＬＤＤ領域、並びに前記ソース領域及び前記ドレイン領域のうち少なくとも前記チャネル領域及び前記一対のＬＤＤ領域が、前記画素電極に重なっていること
を特徴とする請求項１に記載の液晶装置。
【請求項３】
前記一対のＬＤＤ領域及び前記チャネル領域は前記画素電極に重なっており、
前記ソース領域及び前記ドレイン領域の少なくとも一方は、前記配列方向に沿って延びていること
を特徴とする請求項２に記載の液晶装置。
【請求項４】
前記活性層は、多結晶半導体層であること
を特徴とする請求項１から３の何れか一項に記載の液晶装置。
【請求項５】
請求項１から４の何れか一項に記載の液晶装置を具備してなること
を特徴とする電子機器。
【手続補正２】
【補正対象書類名】明細書
【補正対象項目名】０００８
【補正方法】変更
【補正の内容】
【０００８】
本発明に係る液晶装置は上記課題を解決するために、第１基板と、前記第１基板に対向するように配置された第２基板と、前記第１基板及び前記第２基板間に挟持された液晶層と、を備え、前記第１基板は、前記第２基板側から入射する光を前記第２基板側に反射する複数の画素電極と、前記複数の画素電極の下層側に形成され、且つ前記複数の画素電極に対応するように設けられた複数のトランジスタ素子と、を備え、前記複数のトランジスタ素子の各々は、活性層を有し、前記活性層のチャネル長の方向は、前記第１基板上において、前記複数の画素電極の配列方向と斜めに交差する。
【手続補正３】
【補正対象書類名】明細書
【補正対象項目名】００２１
【補正方法】変更
【補正の内容】
【００２１】
本発明に係る液晶装置の他の態様では、前記一対のＬＤＤ領域及び前記チャネル領域は前記画素電極に重なっており、前記ソース領域及び前記ドレイン領域の少なくとも一方は、前記配列方向に沿って延びていてもよい。
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
可動板と、
前記可動板を回動可能に支持する支持部と、
前記可動板と前記支持部とを連結する１対の連結部と、
前記可動板を回動させる駆動手段と、
前記可動板の撓みを抑制する撓み抑制手段とを有し、
前記駆動手段によって、前記１対の連結部を捩り変形させつつ前記可動板を回動させつつ、前記撓み抑制手段によって、前記可動板の回動により発生する慣性力を相殺して前記可動板の撓みを抑制するよう構成され、
前記撓み抑制手段は、前記可動板に設けられ、前記可動板の回動中心軸と略平行な線分に沿って延在する複数の配線と、前記複数の配線にそれぞれ独立して電圧を印加する電圧印加手段と、前記可動板の平面視にて、前記可動板付近に、前記可動板の回動中心軸に対して略直交する方向の磁界を発生させる磁界発生手段とを有し、前記電圧印加手段によって前記複数の配線にそれぞれ電圧を印加し、前記磁界の作用により前記各配線に、前記可動板の慣性力を相殺して前記可動板の撓みを抑制する力を発生させることを特徴とするアクチュエータ。
【請求項２】
前記複数の配線は、前記可動板の回動中心軸に対して一方側と他方側とに分かれるように設けられていて、前記電圧印加手段は、前記可動板の前記一方側と前記他方側とで反対向きの前記力が発生するように、前記複数の配線にそれぞれ電圧を印加する請求項１に記載のアクチュエータ。
【請求項３】
前記電圧印加手段は、前記一方側に設けられた配線と前記他方側に設けられた配線とに、それぞれ、１８０°位相のずれた交番電圧を印加するよう構成されている請求項２に記載のアクチュエータ。
【請求項４】
前記電圧印加手段は、前記可動板の回動と同期的に前記交番電圧を印加する請求項３に記載のアクチュエータ。
【請求項５】
前記交番電圧のピークは、前記可動板の回動のピークとほぼ一致している請求項４に記載のアクチュエータ。
【請求項６】
前記複数の配線のうちの少なくとも１つは、前記可動板の回動中心軸と該回動中心軸から遠位に位置する縁部との中間付近に位置する中間部配線である請求項１ないし５のいずれかに記載のアクチュエータ。
【請求項７】
前記複数の配線には、前記中間部配線よりも前記回動中心軸側に設けられた回動中心軸側配線および前記中間部配線よりも前記縁部側に設けられた縁部側配線が含まれている請求項６に記載のアクチュエータ。
【請求項８】
前記電圧印加手段は、前記中間部配線に対して、前記回動中心軸側配線と前記縁部側配線よりも大きい電圧を印加する請求項７に記載のアクチュエータ。
【請求項９】
前記複数の配線は、前記可動板の回動中心軸に対して対称的に設けられている請求項１ないし８のいずれかに記載のアクチュエータ。
【請求項１０】
光反射性を有する光反射部を備えた可動板と、
前記可動板を回動可能に支持する支持部と、
前記可動板と前記支持部とを連結する１対の連結部と、
前記可動板を回動させる駆動手段と、
前記可動板の撓みを抑制する撓み抑制手段とを有し、
前記駆動手段によって、前記１対の連結部を捩り変形させつつ前記可動板を回動させ、前記光反射部で反射した光を走査させつつ、前記撓み抑制手段によって、前記可動板の回動により発生する慣性力を相殺して前記可動板の撓みを抑制するよう構成され、
前記撓み抑制手段は、前記可動板に設けられ、前記可動板の回動中心軸と略平行な線分に沿って延在する複数の配線と、前記複数の配線にそれぞれ独立して電圧を印加する電圧印加手段と、前記可動板の平面視にて、前記可動板付近に、前記可動板の回動中心軸に対して略直交する方向の磁界を発生させる磁界発生手段とを有し、前記電圧印加手段によって前記複数の配線にそれぞれ電圧を印加し、前記磁界の作用により前記各配線に、前記可動板の慣性力を相殺して前記可動板の撓みを抑制する力を発生させることを特徴とする光スキャナ。
【請求項１１】
光反射性を有する光反射部を備えた可動板と、
前記可動板を回動可能に支持する支持部と、
前記可動板と前記支持部とを連結する１対の連結部と、
前記可動板を回動させる駆動手段と、
前記可動板の撓みを抑制する撓み抑制手段とを有し、
前記駆動手段によって、前記１対の連結部を捩り変形させつつ前記可動板を回動させ、前記光反射部で反射した光を走査させつつ、前記撓み抑制手段によって、前記可動板の回動により発生する慣性力を相殺して前記可動板の撓みを抑制するよう構成され、
前記撓み抑制手段は、前記可動板に設けられ、前記可動板の回動中心軸と略平行な線分に沿って延在する複数の配線と、前記複数の配線にそれぞれ独立して電圧を印加する電圧印加手段と、前記可動板の平面視にて、前記可動板付近に、前記可動板の回動中心軸に対して略直交する方向の磁界を発生させる磁界発生手段とを有し、前記電圧印加手段によって前記複数の配線にそれぞれ電圧を印加し、前記磁界の作用により前記各配線に、前記可動板の慣性力を相殺して前記可動板の撓みを抑制する力を発生させる光スキャナを備えることを特徴とする画像形成装置。
【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
動作を検知するセンサの検出値を特定する検出情報と、当該検出情報に対応する動作と、
を特定する動作辞書情報と、
動作の時系列における組み合わせを特定する組み合わせ情報と、当該組み合わせ情報に対応する作業と、を特定する作業辞書情報と、
を記憶する記憶部、制御部、入力部及び出力部を備える作業情報処理装置であって、
前記記憶部には、作業者と、当該作業者の属するグループと、を特定するグループ編成情報が記憶されており、
前記制御部は、
作業者が有するセンサで検出された検出値に対応する動作を前記動作辞書情報から特定する処理と、
特定した動作の時系列における組み合わせを特定し、特定した組み合わせに対応する作業を前記作業辞書情報から特定する処理と、
前記作業者毎に、動作と、作業と、を時系列において特定する作業情報を生成する処理と、
前記入力部を介して、グループを特定する情報を検索情報として受け付け、特定されたグループに属する作業者を前記グループ編成情報から特定し、特定した作業者の動作及び作業の少なくとも何れか一方を特定の形式にして、前記出力部を介して出力する処理と、
を行うことを特徴とする作業情報処理装置。
【請求項２】
動作を検知するセンサの検出値を特定する検出情報と、当該検出情報に対応する動作と、
を特定する動作辞書情報と、
動作の時系列における組み合わせを特定する組み合わせ情報と、当該組み合わせ情報に対応する作業と、を特定する作業辞書情報と、
を記憶する記憶部、制御部、入力部及び出力部を備える作業情報処理装置であって、
前記記憶部には、
工具及び設備、および、当該工具及び当該設備が用いられる作業場所、を特定する工具設備情報と、
対象品、および、当該対象品が作業の対象となっている作業、を特定する対象品情報と、
が記憶されており、
前記制御部は、
作業者が有するセンサで検出された検出値に対応する動作を前記動作辞書情報から特定する処理と、
特定した動作の時系列における組み合わせを特定し、特定した組み合わせに対応する作業を前記作業辞書情報から特定する処理と、
日時、場所、作業者、工具又は設備、対象品、作業種類、作業の所要時間、の少なくともいずれか一つを検索対象として、前記入力部を介して入力を受け付ける処理と、
日時、場所、作業者、工具又は設備、対象品、作業種類、作業の所要時間、のうち少なくともいずれか２つを座標軸として、前記入力部を介して入力を受け付ける処理と、
日時、場所、作業者、工具又は設備、対象品、作業種類、作業の所要時間、の値の少なくともいずれか一つを表示対象として、前記入力部を介して入力を受け付ける処理と、
前記検索対象に対応する作業を特定する処理と、
特定された作業に関して、前記表示対象として入力された日時、場所、作業者、工具又は設備、対象品、作業種類、作業の所要時間、の値を抽出する処理と、
抽出した値を、座標軸として入力された日時、場所、作業者、工具又は設備、対象品、作業種類、作業の所要時間、の組み合わせに対応する位置に配置した表示画面を生成する処理と、を行うこと、
を特徴とする作業情報処理装置。
【請求項３】
コンピュータを、
動作を検知するセンサの検出値を特定する検出情報と、当該検出情報に対応する動作と、を特定する動作辞書情報と、
動作の時系列における組み合わせを特定する組み合わせ情報と、当該組み合わせ情報に対応する作業と、を特定する作業辞書情報と、
を記憶する記憶手段及び制御手段として機能させるプログラムであって、
前記記憶手段には、作業者と、当該作業者の属するグループと、を特定するグループ編成情報が記憶されており、
前記制御手段に、
作業者が有するセンサで検出された検出値に対応する動作を前記動作辞書情報から特定する処理と、
特定した動作の時系列における組み合わせを特定し、特定した組み合わせに対応する作業を前記作業辞書情報から特定する処理と、
前記作業者毎に、動作と、作業と、を時系列において特定する作業情報を生成する処理と、
入力手段を介して、グループを特定する情報を検索情報として受け付け、特定されたグループに属する作業者を前記グループ編成情報から特定し、特定した作業者の動作及び作業の少なくとも何れか一方を特定の形式にして、出力手段を介して出力する処理と、
を行うことを特徴とするプログラム。
【請求項４】
コンピュータを、
動作を検知するセンサの検出値を特定する検出情報と、当該検出情報に対応する動作と、を特定する動作辞書情報と、
動作の時系列における組み合わせを特定する組み合わせ情報と、当該組み合わせ情報に対応する作業と、を特定する作業辞書情報と、
を記憶する記憶手段及び制御手段として機能させるプログラムであって、
前記記憶手段には、
工具及び設備、および、当該工具及び当該設備が用いられる作業場所、を特定する工具設備情報と、
対象品、および、当該対象品が作業の対象となっている作業、を特定する対象品情報と、
が記憶されており、
前記制御部は、
作業者が有するセンサで検出された検出値に対応する動作を前記動作辞書情報から特定する処理と、
特定した動作の時系列における組み合わせを特定し、特定した組み合わせに対応する作業を前記作業辞書情報から特定する処理と、
日時、場所、作業者、工具又は設備、対象品、作業種類、作業の所要時間、の少なくともいずれか一つを検索対象として、入力手段を介して入力を受け付ける処理と、
日時、場所、作業者、工具又は設備、対象品、作業種類、作業の所要時間、のうち少なくともいずれか２つを座標軸として、前記入力手段を介して入力を受け付ける処理と、
日時、場所、作業者、工具又は設備、対象品、作業種類、作業の所要時間、の値の少なくともいずれか一つを表示対象として、前記入力手段を介して入力を受け付ける処理と、
前記検索対象に対応する作業を特定する処理と、
特定された作業に関して、前記表示対象として入力された日時、場所、作業者、工具又は設備、対象品、作業種類、作業の所要時間、の値を抽出する処理と、
抽出した値を、座標軸として入力された日時、場所、作業者、工具又は設備、対象品、作業種類、作業の所要時間、の組み合わせに対応する位置に配置した表示画面を生成する処理と、を行うこと、
を特徴とするプログラム。